(57)【特許請求の範囲】
【請求項１】
セルを介し基地局と通信する送受信部と、
前記基地局からのハンドオーバ指示に応答して、ＴＡ（Ｔｉｍｉｎｇ  Ａｄｖａｎｃｅ）タイマを停止し、ターゲットセルへのハンドオーバを起動するハンドオーバ制御部と、
を有するユーザ装置であって、
前記ハンドオーバ指示がＲＡＣＨ（Ｒａｎｄｏｍ  Ａｃｃｅｓｓ  Ｃｈａｎｎｅｌ）−ｌｅｓｓハンドオーバ指示である場合、前記ハンドオーバ制御部は、スケジューリングリクエストを前記ターゲットセルに送信することによって、前記ターゲットセルへのＲＡＣＨ−ｌｅｓｓハンドオーバを実行し、前記ＲＡＣＨ−ｌｅｓｓハンドオーバ指示は、前記ＴＡタイマの非停止を通知するＭｏｂｉｌｉｔｙＣｏｎｔｒｏｌＩｎｆｏを含むユーザ装置。
【請求項２】
前記ＭｏｂｉｌｉｔｙＣｏｎｔｒｏｌＩｎｆｏは、個別ＲＡＣＨリソースを指定する、請求項１記載のユーザ装置。
【請求項３】
前記ＲＡＣＨ−ｌｅｓｓハンドオーバ指示が前記ＴＡタイマの非停止を通知する場合、前記ハンドオーバ制御部は、前記ＴＡタイマを再起動し、前記ターゲットセルへのＲＡＣＨ−ｌｅｓｓハンドオーバを実行する、請求項１又は２記載のユーザ装置。
【発明の詳細な説明】
【技術分野】
【０００１】
本発明は、無線通信システムに関する。
【背景技術】
【０００２】
ＬＴＥ（Ｌｏｎｇ  Ｔｅｒｍ  Ｅｖｏｌｕｔｉｏｎ）システムでは、ＲＲＣ（Ｒａｄｉｏ  Ｒｅｓｏｕｒｃｅ  Ｃｏｎｔｒｏｌ）  ｃｏｎｎｅｃｔｅｄ状態のユーザ装置（Ｕｓｅｒ  Ｅｑｕｉｐｍｅｎｔ：ＵＥ）に対して最適なセルで通信を実行させるため、常時ハンドオーバ制御を実施している。すなわち、基地局（ｅｖｏｌｖｅｄ  ＮｏｄｅＢ：ｅＮＢ）によるメジャメント制御によって、ユーザ装置は、周辺セルとの通信状態を測定し、接続中のセルより通信品質の良好なセルを検出すると、当該事象を基地局に通知する。当該通知を受信すると、基地局は、ユーザ装置に対して当該セルへ遷移するためのハンドオーバ指示を送信し、ユーザ装置は、当該ハンドオーバ指示により指定された遷移先のセルへの接続を試みる。
【０００３】
図１は、ＬＴＥシステムにおけるハンドオーバ制御を示すシーケンス図である。図１に示されるように、ユーザ装置（ＵＥ）は、接続中の基地局（Ｓ−ｅＮＢ）によるメジャメント制御の下、周辺セルの通信状態を測定し、測定結果（Ｍｅａｓｕｒｅｍｅｎｔ  ｒｅｐｏｒｔ）を基地局（Ｓ−ｅＮＢ）に報告する。接続中のセルより通信品質の良好なセルが検出されると、基地局（Ｓ−ｅＮＢ）は、検出されたセルのターゲット基地局（Ｔ−ｅＮＢ）に対してハンドオーバリクエスト（ＨＯ  ｒｅｑｕｅｓｔ）を送信する。ターゲット基地局（Ｔ−ｅＮＢ）から当該ハンドオーバリクエストに対する送達確認（ＨＯ  ｒｅｑｕｅｓｔ  ＡＣＫ）を受信すると、基地局（Ｓ−ｅＮＢ）は、ユーザ装置（ＵＥ）にハンドオーバ指示を送信すると共に、ユーザ装置（ＵＥ）に送信未完了のデータをターゲット基地局（Ｔ−ｅＮＢ）に転送する。
【０００４】
当該ハンドオーバ指示を受信すると、ユーザ装置（ＵＥ）は、ハンドオーバ指示に指定されたターゲット基地局（Ｔ−ｅＮＢ）に接続するためランダムアクセス（Ｒａｎｄｏｍ  Ａｃｃｅｓｓ：ＲＡ）手順を実行する。ターゲット基地局（Ｔ−ｅＮＢ）との接続が完了すると、ユーザ装置は、ＲＲＣ  ｃｏｎｎｅｃｔｉｏｎ  ｒｅｃｏｎｆｉｇｕｒａｔｉｏｎ  ｃｏｍｐｌｅｔｅをターゲット基地局（Ｔ−ｅＮＢ）に送信する。当該メッセージを受信すると、ターゲット基地局（Ｔ−ｅＮＢ）は、ユーザ装置（ＵＥ）の接続先が変更されたことを通知するため、コアノード（ＣＮ）にＰａｔｈ  ｓｗｔｉｃｈ  ｒｅｑｕｅｓｔを送信する。その後、コアノードは、ユーザ装置（ＵＥ）宛てのパケットの送信先をソース基地局（Ｓ−ｅＮＢ）からターゲット基地局（Ｔ−ｅＮＢ）に変更する。
【先行技術文献】
【非特許文献】
【０００５】
【非特許文献１】３ＧＰＰ  ＴＳ３６．３００  Ｖ１２．２．０（２０１４−０６）
【非特許文献２】３ＧＰＰ  ＴＳ３６．２１３  Ｖ１２．２．０（２０１４−０６）
【発明の概要】
【発明が解決しようとする課題】
【０００６】
現在のＬＴＥ仕様では、ハンドオーバ時にアップリンクの同期確立のため、ユーザ装置は必ずＲＡ手順を実施することが規定され、このため、ハンドオーバ時にＲＡ手順に伴う瞬断が発生する。一方、このようなＲＡ手順によるアップリンクの同期確立が不要なケース（同一周波数間のハンドオーバなど）も実際にはあり、当該ケースにおいては不要なＲＡ手順による通信の瞬断が発生している。
【０００７】
そこで、このようなＲＡ手順が不要なケースにおいて、ＲＡ手順を省略し、ハンドオーバ時の瞬断によるスループットの低下を回避するため、ＲＡ手順を実施することなくハンドオーバを実行するＲＡＣＨ（Ｒａｎｄｏｍ  Ａｃｃｅｓｓ  Ｃｈａｎｎｅｌ）−ｌｅｓｓハンドオーバ制御が検討されている。
【０００８】
しかしながら、現在のＬＴＥ仕様では、ハンドオーバ手順起動時に、ユーザ装置は、ＭＡＣ（Ｍｅｄｉｕｍ  Ａｃｃｅｓｓ  Ｃｏｎｔｒｏｌ）リセットによってタイミングアドバンス（ＴＡ）タイマを停止することが規定されている。このため、ユーザ装置は、ＰＲＡＣＨ（Ｐｈｙｓｉｃａｌ  Ｒａｎｄｏｍ  Ａｃｃｅｓｓ  Ｃｈａｎｎｅｌ）以外の送信をすることができず、ＲＡ手順を実施しないＲＡＣＨ−ｌｅｓｓハンドオーバを実行することができない。
【０００９】
また、通常のハンドオーバ時には、ユーザ装置は、ＲＡ手順が完了するまで送信電力を徐々に上げながら（パワーランピング）ＰＲＡＣＨを送信し続けることが規定されている。しかしながら、ＲＡＣＨ−ｌｅｓｓハンドオーバにおいてターゲットセルに送信されるスケジューリングリクエストに対しては、このようなパワーランピングは規定されておらず、アップリンク送信タイミングは合っているが、電力不足のためスケジューリングリクエストが受信されない事態が生じる可能性がある。この場合、スケジューリングリクエストの再送超過となり、ユーザ装置は結局ＲＡ手順を実行することになる可能性がある。
【００１０】
上述した問題点を鑑み、本発明の課題は、適切なＲＡＣＨ−ｌｅｓｓハンドオーバ制御を実現するための技術を提供することである。
【課題を解決するための手段】
【００１１】
上記課題を解決するため、本発明の一態様は、セルを介し基地局と通信する送受信部と、前記基地局からのハンドオーバ指示に応答して、ＴＡ（Ｔｉｍｉｎｇ  Ａｄｖａｎｃｅ）タイマを停止し、ターゲットセルへのハンドオーバを起動するハンドオーバ制御部とを有するユーザ装置であって、前記ハンドオーバ指示がＲＡＣＨ−ｌｅｓｓハンドオーバ指示である場合、前記ハンドオーバ制御部は、前記ＴＡタイマの動作状態に関わらずスケジューリングリクエストをターゲットセルに送信することによって、前記ターゲットセルへのＲＡＣＨ−ｌｅｓｓハンドオーバを実行するユーザ装置に関する。
【００１２】
本発明の他の態様は、セルを介し基地局と通信する送受信部と、前記基地局からのＲＡＣＨ−ｌｅｓｓハンドオーバ指示に応答して、パワーランピング制御によってターゲットセルにスケジューリングリクエストを送信するハンドオーバ制御部とを有するユーザ装置に関する。
【００１３】
本発明の更なる他の態様は、ユーザ装置との無線通信を制御する通信制御部と、ターゲットセルに送信されるスケジューリングリクエストの送信電力を指定したＲＡＣＨ−ｌｅｓｓハンドオーバ指示を前記ユーザ装置に通知するハンドオーバ制御部とを有する基地局に関する。
【発明の効果】
【００１４】
本発明によると、適切なＲＡＣＨ−ｌｅｓｓハンドオーバ制御を実現することができる。
【図面の簡単な説明】
【００１５】
【図１】図１は、ＬＴＥシステムにおけるハンドオーバ制御を示すシーケンス図である。
【図２】図２は、本発明の一実施例による無線通信システムを示す概略図である。
【図３】図３は、本発明の第１実施例によるユーザ装置の構成を示すブロック図である。
【図４】図４は、本発明の第１実施例によるユーザ装置におけるＲＡＣＨ−ｌｅｓｓハンドオーバ処理を示すフロー図である。
【図５】図５は、本発明の第２実施例によるユーザ装置の構成を示すブロック図である。
【図６】図６は、本発明の第２実施例による一例となるスケジューリングリクエストの再送タイミングを示す図である。
【図７】図７は、本発明の第２実施例による他の例となるスケジューリングリクエストの再送タイミングを示す図である。
【図８】図８は、本発明の第２実施例によるユーザ装置におけるスケジューリングリクエスト再送処理を示すフロー図である。
【図９】図９は、本発明の第２実施例による基地局の構成を示すブロック図である。
【図１０】図１０は、本発明の第２実施例による基地局における送信電力通知処理を示すフロー図である。
【発明を実施するための形態】
【００１６】
以下、図面に基づいて本発明の実施の形態を説明する。
【００１７】
後述される実施例では、ＲＡ手順を実行することなくハンドオーバを実現するＲＡＣＨ−ｌｅｓｓハンドオーバを実行する基地局及びユーザ装置が開示される。
【００１８】
本発明の第１実施例を概略すると、受信したハンドオーバ指示がＲＡＣＨ−ｌｅｓｓハンドオーバ指示である場合、ユーザ装置は、通常のハンドオーバ起動時には停止されるＴＡタイマの動作状態に関わらずターゲットセルにスケジューリングリクエストを送信し、ＲＡＣＨ−ｌｅｓｓハンドオーバを実行する。ＴＡタイマを停止すると、ＰＲＡＣＨ以外の送信ができなくなるが、ＲＡＣＨ−ｌｅｓｓハンドオーバ指示である場合、ユーザ装置は、ＴＡタイマの動作状態に関わらずターゲットセルにスケジューリングリクエストを送信する。本実施例によると、ＲＡＣＨ−ｌｅｓｓハンドオーバ起動時にはＴＡタイマが停止されてもスケジューリングリクエストを送信可能とすることにより、ＲＡＣＨ−ｌｅｓｓハンドオーバの起動が可能になる。
【００１９】
本発明の第２実施例を概略すると、ユーザ装置からターゲットセルに送信されるスケジューリングリクエストの送信電力が制御される。一実施例では、ユーザ装置は、スケジューリングリクエストを再送する際、パワーランピング制御の下でスケジューリングリクエストを再送する。他の実施例では、基地局は、取得したパワーヘッドルーム（ＰＨＲ）や送信電力制御（ＴＰＣ）コマンドに基づき、ユーザ装置により送信されるのに適したスケジューリングリクエストの送信電力を決定し、ユーザ装置は、当該送信電力によりスケジューリングリクエストを送信する。本実施例によると、ＲＡＣＨ−ｌｅｓｓハンドオーバにおけるスケジューリングリクエストの送信電力を適切に制御することが可能になる。
【００２０】
まず、図２を参照して、本発明の一実施例による無線通信システムを説明する。図２は、本発明の一実施例による無線通信システムを示す概略図である。
【００２１】
図２に示されるように、無線通信システム１０は、基地局１０１，１０２又は３０１，３０２（以降、それぞれ基地局１００，３００として総称される）と、ユーザ装置２００又は４００とを有する。説明の便宜上、後述される第１実施例では、基地局１００及びユーザ装置２００が使用され、第２実施例では、基地局３００及びユーザ装置４００が使用される。一実施例では、無線通信システム１０は、ＬＴＥシステム又はＬＴＥ−Ａｄｖａｎｃｅｄシステムである。図示された実施例では、２つの基地局１０１，１０２又は３０１，３０２しか示されていないが、一般には、無線通信システム１０のサービスエリアをカバーするよう多数の基地局が配置される。
【００２２】
基地局１００，３００は、１以上のセルを提供し、当該セルを介しユーザ装置２００，４００と無線通信する。図示された実施例では、基地局１０１，３０１はセルＣ１１，Ｃ１２を提供し、セルＣ１１を介しユーザ装置２００，４００と現在接続している。他方、基地局１０２，３０２はセルＣ２１を提供し、基地局１０１，３０１に隣接して配置されている。ユーザ装置２００，４００は、セルＣ１１との接続中に周辺セルＣ１２，Ｃ２１の通信状態を測定し、測定結果を基地局１０１，３０１に報告する（メジャメント制御）。接続中のセルＣ１１より通信品質が良好なセルが検出されると、基地局１０１，３０１は、当該セルを遷移先とするハンドオーバ指示をユーザ装置２００，４００に通知する。以下の実施例では、セルＣ１１，Ｃ１２，Ｃ２１の間のハンドオーバは、ＲＡ手順を実行することなくハンドオーバ可能なＲＡＣＨ−ｌｅｓｓハンドオーバに対応可能である。また、基地局１０１，３０１と基地局１０２，３０２とは相互接続され、Ｘ２インタフェースを介し通信可能である。
【００２３】
基地局１００，３００は、典型的には、ユーザ装置２００，４００と無線通信するための通信回路、コアネットワーク（図示せず）や他の基地局と通信するための通信インタフェース、コアネットワークとユーザ装置２００，４００との間の無線通信を制御するためのプロセッサ、メモリ、各種回路などのハードウェアリソースにより構成される。後述される基地局１００，３００の各機能及び処理は、メモリに格納されているデータやプログラムをプロセッサ又は通信回路が処理又は実行することによって実現されてもよい。しかしながら、基地局１００，３００は、上述したハードウェア構成に限定されず、他の何れか適切なハードウェア構成を有してもよい。
【００２４】
ユーザ装置２００，４００は、基地局１００，３００により提供されるセルの何れかに在圏し、当該セルを介し基地局１００，３００と無線通信する。以下の実施例では、図示されるように、ユーザ装置２００，４００は、基地局１０１，３０１のソースセルから基地局１０２，３０２のターゲットセルへのＲＡＣＨ−ｌｅｓｓハンドオーバを実行している。しかしながら、本発明は、これに限定されるものでなく、例えば、基地局１０１，３０１内のソースセルからターゲットセルへのＲＡＣＨ−ｌｅｓｓハンドオーバに適用されてもよい。
【００２５】
ユーザ装置２００，４００は、スマートフォン、携帯電話、タブレット、ウェアラブル端末などの無線通信機能を備えた何れか適切な情報処理装置であり、基地局１００，３００と無線接続することによって、無線通信システム１０により提供される各種通信サービスを利用する。ユーザ装置２００，４００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局１００，３００との間で無線信号を送受信するための無線通信回路などから構成される。例えば、後述されるユーザ装置２００，４００の各機能及び処理は、メモリ装置に格納されているデータやプログラムをＣＰＵが処理又は実行することによって、あるいは、無線通信回路が無線信号を送受信することによって実現されてもよい。しかしながら、ユーザ装置２００，４００は、上述したハードウェア構成に限定されず、後述する処理の１つ以上を実現する回路などにより構成されてもよい。
【００２６】
次に、図３〜４を参照して、本発明の第１実施例によるＴＡタイマ制御処理を説明する。後述される第１実施例では、受信したハンドオーバ指示においてＴＡタイマを停止しないことが通知されている場合、ユーザ装置２００は、通常のハンドオーバ起動時には停止されるＴＡタイマを停止することなく、ＲＡＣＨ−ｌｅｓｓハンドオーバを実行する。
【００２７】
図３は、本発明の第１実施例によるユーザ装置の構成を示すブロック図である。図３に示されるように、ユーザ装置２００は、送受信部２１０及びハンドオーバ制御部２２０を有する。
【００２８】
送受信部２１０は、セルを介し基地局１０１，１０２と通信する。具体的には、送受信部２１０は、基地局１０１，１０２との間でアップリンク／ダウンリンク制御チャネルやアップリンク／ダウンリンクデータチャネルなどの各種無線チャネルを送受信する。
【００２９】
ハンドオーバ制御部２２０は、基地局１０１からのハンドオーバ指示に応答して、ＴＡタイマを停止し、ターゲットセルへのハンドオーバを起動する。本実施例では、ハンドオーバ制御部２２０は、ハンドオーバ指示がＲＡＣＨ−ｌｅｓｓハンドオーバ指示である場合、ＴＡタイマの動作状態に関わらずスケジューリングリクエストをターゲットセルに送信することによって、ターゲットセルへのＲＡＣＨ−ｌｅｓｓハンドオーバを実行する。
【００３０】
すなわち、ハンドオーバ制御部２２０は、通常のハンドオーバ起動時にはＴＡタイマを停止し、ＰＲＡＣＨ以外の送信は不可とされる。一方、受信したハンドオーバ指示がＲＡＣＨ−ｌｅｓｓハンドオーバ指示である場合、ハンドオーバ制御部２２０は、ＴＡタイマが起動又は停止しているか、すなわち、ＴＡタイマの動作状態に関わらず、ターゲットセルにスケジューリングリクエストを送信し、ＲＡＣＨ−ｌｅｓｓハンドオーバを起動する。本実施例によると、通常のハンドオーバ起動時のようにＭＡＣリセットが実行され、これに伴ってＴＡタイマが停止されたとしても、ハンドオーバ指示がＲＡＣＨ−ｌｅｓｓハンドオーバ指示である場合、ハンドオーバ制御部２２０は、例外的にスケジューリングリクエストを送信することが可能とされ、ターゲットセルへのＲＡＣＨ−ｌｅｓｓハンドオーバを起動できる。
【００３１】
なお、ＲＡＣＨ−ｌｅｓｓハンドオーバの実行後にＴＡコマンドを１回でも受信した場合、ハンドオーバ制御部２２０は、上述したスケジューリングリクエストの例外的な送信制御を停止してもよい。すなわち、ＴＡコマンドが受信された場合、ターゲット基地局１０２は、ユーザ装置２００のアップリンク送信を確認済みであるためである。
【００３２】
一実施例では、ＲＡＣＨ−ｌｅｓｓハンドオーバ指示はＴＡタイマの非停止を通知するＭｏｂｉｌｉｔｙＣｏｎｔｒｏｌＩｎｆｏを含むものであってもよい。ＴＡタイマの非停止通知を含むＲＡＣＨ−ｌｅｓｓハンドオーバ指示を受信した場合、ハンドオーバ制御部２２０は、ＭＡＣリセットの実行に伴ってＴＡタイマを停止することなく、ＲＡＣＨ−ｌｅｓｓハンドオーバのためターゲットセルにスケジューリングリクエストを送信する。本実施例では、ＲＡＣＨ−ｌｅｓｓハンドオーバ指示がＴＡタイマの非停止を明示的に指示することによって、ＰＲＡＣＨ以外の送信を不可にするＴＡタイマの停止を回避し、ＲＡＣＨ−ｌｅｓｓハンドオーバのためのスケジューリングリクエストの送信を可能にする。
【００３３】
この場合、ハンドオーバ制御部２２０は、受信したＲＡＣＨ−ｌｅｓｓハンドオーバ指示内の当該情報要素を確認し、ＴＡタイマの非停止の通知を検出すると、ＭＡＣリセットの実行に伴ってＴＡタイマを停止することなく計時を継続し、ＲＡＣＨ−ｌｅｓｓハンドオーバを起動する。他方、当該情報要素にＴＡタイマの非停止の通知を検出できなかった場合、ハンドオーバ制御部２２０は、ＭＡＣリセットを実行してＴＡタイマを停止するが、ＴＡタイマの動作状態に関わらずターゲットセルにスケジューリングリクエストを送信することによって、ＲＡＣＨ−ｌｅｓｓハンドオーバを起動する。  さらに、当該ＭｏｂｉｌｉｔｙＣｏｎｔｒｏｌＩｎｆｏは、個別ＲＡＣＨリソースを指定してもよい。これにより、ターゲットセルへのスケジューリングリクエストの再送超過によるＲＡＣＨ−ｌｅｓｓハンドオーバの失敗時、ハンドオーバ制御部２２０は、指定された個別ＲＡＣＨリソースを用いてＲＡ手順を実行することが可能となり、早期にＲＡ手順を完了させることが可能になる。
【００３４】
一実施例では、ＲＡＣＨ−ｌｅｓｓハンドオーバ指示がＴＡタイマの非停止を通知する場合、ハンドオーバ制御部２２０は、ＴＡタイマを再起動し、ターゲットセルへのＲＡＣＨ−ｌｅｓｓハンドオーバを実行してもよい。ＴＡタイマが満了する間際にＲＡＣＨ−ｌｅｓｓハンドオーバ指示が通知された場合、ＲＡＣＨ−ｌｅｓｓハンドオーバの完了前にＴＡタイマが満了し、ハンドオーバ制御部２２０がＲＡＣＨ−ｌｅｓｓハンドオーバの起動中にスケジューリングリクエストを送信できなくなる可能性がある。本実施例では、このような事態を回避するため、ハンドオーバ制御部２２０は、ＴＡタイマを再起動し、ターゲットセルへのＲＡＣＨ−ｌｅｓｓハンドオーバを起動してもよい。
【００３５】
例えば、ハンドオーバ制御部２２０は、受信したＲＡＣＨ−ｌｅｓｓハンドオーバ指示内にＴＡコマンドが含まれること、又はＲＡＣＨ−ｌｅｓｓハンドオーバ指示に対してＴＡコマンド  ＭＡＣ  ＣＥ（Ｃｏｎｔｒｏｌ  Ｅｌｅｍｅｎｔ）が多重されていることに応答して、ＴＡタイマを再起動してもよい。
【００３６】
図４は、本発明の第１実施例によるユーザ装置におけるＲＡＣＨ−ｌｅｓｓハンドオーバ処理を示すフロー図である。
【００３７】
図４に示されるように、ステップＳ１０１において、ハンドオーバ制御部２２０は、基地局１０１からＲＡＣＨ−ｌｅｓｓハンドオーバ指示を受信する。
【００３８】
ステップＳ１０２において、ハンドオーバ制御部２２０は、受信したＲＡＣＨ−ｌｅｓｓハンドオーバ指示にＴＡタイマの非停止の通知があるか判断する。例えば、ハンドオーバ制御部２２０は、受信したＲＡＣＨ−ｌｅｓｓハンドオーバ指示のＭｏｂｉｌｉｔｙＣｏｎｔｒｏｌＩｎｆｏを確認し、当該情報要素にＴＡタイマの非停止の通知が含まれているか検出してもよい。
【００３９】
ＴＡタイマの非停止の通知がある場合（Ｓ１０２：ＹＥＳ）、ハンドオーバ制御部２２０は、ステップＳ１０３において、ＭＡＣリセットの実行に伴ってＴＡタイマを停止することなく、ＲＡＣＨ−ｌｅｓｓハンドオーバを実行する。
【００４０】
他方、ＴＡタイマの非停止の通知がない場合（Ｓ１０２：ＮＯ）、ハンドオーバ制御部２２０は、ステップＳ１０４において、ＭＡＣリセットを実行してＴＡタイマを停止するが、ＴＡタイマの停止に関わらずターゲットセルにスケジューリングリクエストを送信することによってＲＡＣＨ−ｌｅｓｓハンドオーバを実行する。
【００４１】
次に、図５〜１０を参照して、本発明の第２実施例によるスケジューリングリクエストの送信電力制御処理を説明する。後述される第２実施例では、ＲＡＣＨ−ｌｅｓｓハンドオーバのためのスケジューリングリクエストの送信電力が制御される。図５〜８を参照して、ユーザ装置４００がスケジューリングリクエストの再送にパワーランピングを適用するケースが説明され、図９〜１０を参照して、基地局３００がスケジューリングリクエストの適切な送信電力をユーザ装置４００に通知するケースが説明される。
【００４２】
図５は、本発明の第２実施例によるユーザ装置の構成を示すブロック図である。図５に示されるように、ユーザ装置４００は、送受信部４１０及びハンドオーバ制御部４２０を有する。
【００４３】
送受信部４１０は、セルを介し基地局３０１，３０２と通信する。具体的には、送受信部４１０は、基地局３０１，３０２との間でアップリンク／ダウンリンク制御チャネルやアップリンク／ダウンリンクデータチャネルなどの各種無線チャネルを送受信する。
【００４４】
ハンドオーバ制御部４２０は、基地局３０１からのＲＡＣＨ−ｌｅｓｓハンドオーバ指示に応答して、パワーランピング制御によってターゲットセルにスケジューリングリクエストを送信する。具体的には、ハンドオーバ制御部４２０は、ＲＡＣＨ−ｌｅｓｓハンドオーバを実現するため、指定されたターゲットセルに対してスケジューリングリクエストを送信する際にアップリンクグラントなどの割当許可を受信できなかった場合、スケジューリングリクエストを再送する毎に送信電力を徐々に引き上げる（パワーランピング制御）。これは、送信電力不足によってターゲット基地局３０２がスケジューリングリクエストを受信できなかった場合、より高い送信電力によりスケジューリングリクエストを再送することによって、ターゲット基地局３０２がより確実にスケジューリングリクエストを受信することを可能にするためのものである。
【００４５】
ここで、各ランピングアップにおける送信電力の引き上げ量α（ランピングステップ）及び初期送信電力ｐｉは、ソース基地局３０１からのＲＡＣＨ−ｌｅｓｓハンドオーバ指示で通知されてもよい。
【００４６】
一実施例では、ハンドオーバ制御部４２０は、送信したスケジューリングリクエストに対して割当許可を受信すると、割当許可に対応するスケジューリングリクエストの送信電力によって以降のアップリンク送信を実行してもよい。例えば、パワーランピング制御の下でｘ回目に送信されたスケジューリングリクエストに対してアップリンクグラントを受信できた場合、ハンドオーバ制御部４２０は、ｘ回目に送信されたスケジューリングリクエストの送信電力ｐｉ＋（ｘ−１）αによって、以降のＰＵＳＣＨ（Ｐｈｙｓｉｃａｌ  Ｕｐｌｉｎｋ  Ｓｈａｒｅｄ  Ｃｈａｎｎｅｌ）の送信などのアップリンク送信を実行してもよい。これにより、以降のアップリンク送信をターゲットセルに適切に受信させることが可能になる。
【００４７】
ここで、典型的には、ハンドオーバ時にターゲットセルに対するスケジューリングリクエストの初送が送信電力の不足によりターゲット基地局３０２に届かなかった場合、スケジューリングリクエストは、スケジューリングリクエストのためのリソースが設定されている次のタイミングで再送可能である。しかしながら、このようなスケジューリングリクエストの送信間隔が、２０ｍｓなどに設定される場合、ＲＡＣＨ−ｌｅｓｓハンドオーバによる遅延低減効果は限定的になる可能性がある。通常、ＲＡ手順は、数１０ｍｓ程度で完了することが想定されるためである。このため、一実施例では、ハンドオーバ制御部４２０は、スケジューリングリクエストを再送する際、スケジューリングリクエストに設定されている送信間隔より短い送信間隔によって、パワーランピング制御の下でスケジューリングリクエストを再送してもよい。例えば、スケジューリングリクエストに設定されている送信間隔が、通常は２０ｍｓなどに設定されているが、ＲＡＣＨ−ｌｅｓｓハンドオーバによるスケジューリングリクエストの再送タイミングは、遅延を低減させるため１〜２ｍｓなどに設定されてもよい。
【００４８】
図６は、本発明の第２実施例による一例となるスケジューリングリクエストの再送タイミングを示す図である。図６に示されるように、ＲＡＣＨ−ｌｅｓｓハンドオーバ時のスケジューリングリクエストを再送する際の送信間隔が、ＲＡ手順を伴う通常のハンドオーバにおいて設定されるスケジューリングリクエストの送信間隔より短く設定されてもよい。
【００４９】
図６の例１では、スケジューリングリクエストを再送する際、スケジューリングリクエストに対するアップリンクグラントを受信するまで、ハンドオーバ制御部４２０は、短い送信間隔によって、パワーランピング制御の下でターゲット基地局３０２にスケジューリングリクエストの再送を継続してもよい。
【００５０】
図６の例２では、スケジューリングリクエストを再送する際、スケジューリングリクエストに対するアップリンクグラントを受信するまで、ハンドオーバ制御部４２０は、ＲＡ手順を伴う通常のハンドオーバにおいて設定されるスケジューリングリクエストの各送信タイミングの後に、パワーランピング制御の下で所定の回数だけスケジューリングリクエストの再送を継続してもよい。所定の回数だけ短い送信間隔でスケジューリングリクエストを再送した後、ハンドオーバ制御部４２０は、ＲＡ手順を伴う通常のハンドオーバにおいて設定される送信タイミングでスケジューリングリクエストを再送する。
【００５１】
図７は、本発明の第２実施例による他の例となるスケジューリングリクエストの再送タイミングを示す図である。図７に示されるように、ハンドオーバ制御部４２０は、所定の期間内にターゲットセルへのＲＡＣＨ−ｌｅｓｓハンドオーバが完了しなかった場合、スケジューリングリクエストに設定されている送信間隔に戻してもよい。すなわち、スケジューリングリクエストを再送する際、スケジューリングリクエストに対するアップリンク送信を受信するまで、ハンドオーバ制御部４２０は、所定の期間内は短い送信間隔によってパワーランピング制御の下でターゲット基地局３０２にスケジューリングリクエストの再送を継続するが、当該期間の経過後は、ＲＡ手順を伴う通常のハンドオーバにおいて設定されるスケジューリングリクエストの送信タイミングで再送を継続してもよい。これは、短い送信間隔のスケジューリングリクエストのリソースを各ユーザ装置に対して設定した場合のリソースの利用効率の低下を回避するためである。例えば、ハンドオーバ制御部４２０は、ＲＡＣＨ−ｌｅｓｓハンドオーバにおいてスケジューリングリクエストの送信開始時にタイマを起動し、当該タイマが満了するまでは短い送信間隔によりスケジューリングリクエストの再送を継続し、当該タイマが満了すると通常の送信間隔に戻すようにしてもよい。
【００５２】
図８は、本発明の第２実施例によるユーザ装置におけるスケジューリングリクエスト再送処理を示すフロー図である。
【００５３】
図８に示されるように、ステップＳ２０１において、ハンドオーバ制御部４２０は、ソース基地局３０１からＲＡＣＨ−ｌｅｓｓハンドオーバ指示を受信する。当該ＲＡＣＨ−ｌｅｓｓハンドオーバ指示は、例えば、ターゲットセルと共に、各ランピングアップにおける送信電力の引き上げ量α（ランピングステップ）及び初期送信電力ｐｉを含むものであってもよい。
【００５４】
ステップＳ２０２において、ハンドオーバ制御部４２０は、ターゲットセルにスケジューリングリクエストを送信する。例えば、ＲＡＣＨ−ｌｅｓｓハンドオーバ指示に初期送信電力ｐｉが指定されている場合、ハンドオーバ制御部４２０は、当該送信電力ｐｉによりスケジューリングリクエストを送信してもよい。
【００５５】
ステップＳ２０３において、ハンドオーバ制御部４２０は、ステップＳ２０２において送信したスケジューリングリクエストに対する割当許可（アップリンクグラント）を受信できたか判断する。割当許可を受信できた場合（Ｓ２０３：ＹＥＳ）、ハンドオーバ制御部４２０は、ターゲットセルに対するＲＡＣＨ−ｌｅｓｓハンドオーバが完了したと判断し、ステップＳ２０４において、ＰＵＳＣＨの送信などの以降のアップリンク送信を開始する。
【００５６】
他方、割当許可を受信できなかった場合（Ｓ２０３：ＮＯ）、ハンドオーバ制御部４２０は、パワーランピング制御の下、送信電力を引き上げてスケジューリングリクエストを再送する。例えば、ＲＡＣＨ−ｌｅｓｓハンドオーバ指示にランピングステップαが指定されている場合、ハンドオーバ制御部４２０は、ランピングアップした送信電力ｐｉ＋αによりスケジューリングリクエストを再送する。例えば、ＲＡ手順を伴うハンドオーバ時に設定されているスケジューリングリクエストの送信間隔（２０ｍｓなど）より短い送信間隔（１〜２ｍｓなど）によって、スケジューリングリクエストの再送を実行することが規定されている場合、ハンドオーバ制御部４２０は、当該短い送信間隔によりステップＳ２０２，２０３，２０５を繰り返す。
【００５７】
以降、スケジューリングリクエストに対する割当許可が受信できるまで、ハンドオーバ制御部４２０は、パワーランピング制御の下で送信電力を徐々に引き上げながらスケジューリングリクエストの再送を継続する。
【００５８】
図９は、本発明の第２実施例による基地局の構成を示すブロック図である。図５〜９に示される実施例では、ユーザ装置がパワーランピング制御の下でスケジューリングリクエストの再送を継続したが、本実施例では、基地局３００がＲＡＣＨ−ｌｅｓｓハンドオーバ指示において適切な送信電力をユーザ装置４００に通知し、ユーザ装置４００は、通知された送信電力によりターゲットセルにスケジューリングリクエストを送信する。
【００５９】
図９に示されるように、基地局３００は、通信制御部３１０及びハンドオーバ制御部３２０を有する。
【００６０】
通信制御部３１０は、ユーザ装置４００との無線通信を制御する。具体的には、通信制御部３１０は、セルを介しユーザ装置４００との間で各種制御信号及びデータ信号を送受信する。
【００６１】
ハンドオーバ制御部３２０は、ターゲットセルに送信されるスケジューリングリクエストの送信電力を指定したＲＡＣＨ−ｌｅｓｓハンドオーバ指示をユーザ装置４００に通知する。具体的には、ソース基地局３０１は、ユーザ装置４００に周辺セルとの通信状態を測定させ、測定対象の周辺セルを示すセル識別子（Ｐｈｙｓｉｃａｌ  Ｃｅｌｌ  Ｉｄｅｎｔｉｆｉｅｒ：ＰＣＩ）と検出した通信品質とを示す測定結果（Ｍｅａｓｕｒｅｍｅｎｔ  Ｒｅｐｏｒｔ）を報告させる（メジャメント制御）。接続中のセルより通信品質が良好な周辺セルが検出されると、ハンドオーバ制御部３２０は、検出された周辺セルがＲＡＣＨ−ｌｅｓｓハンドオーバ可能なセルであるか判定し、検出されたセルがＲＡＣＨ−ｌｅｓｓハンドオーバ可能なセルである場合、ターゲットセルへのスケジューリングリクエストの送信電力を指定することによって、当該セルへのＲＡＣＨ−ｌｅｓｓハンドオーバをユーザ装置４００に実行させる。例えば、ＲＡＣＨ−ｌｅｓｓハンドオーバ可能なセルは、ソースセルと同一の周波数の周辺セル及びソースセルと同一の基地局３０１のセルの少なくとも１つ以上を含むものであってもよい。
【００６２】
一実施例では、ハンドオーバ制御部３２０は、ユーザ装置４００から取得したパワーヘッドルームレポート（ＰＨＲ）と送信電力制御（ＴＰＣ）コマンドとの累積値に基づき送信電力を決定してもよい。ここで、ＰＨＲは、ユーザ装置４００における送信電力余力を示す指標であり、ＴＰＣコマンドは、ソース基地局３０１との通信に適用された送信電力値である。
【００６３】
具体的には、ソース基地局３０１は、ターゲット基地局３０２にハンドオーバリクエストを送信する際、ユーザ装置４００から取得した当該時点におけるＰＨＲ及びＴＰＣコマンドの累積値をターゲット基地局３０２に報告する。ターゲット基地局３０２は、受信したＰＨＲ及びＴＰＣコマンドの累積値に基づき、ターゲットセルへのスケジューリングリクエストの送信に適した送信電力を算出し、ソース基地局３０１を介しユーザ装置４００に通知する。ソース基地局３０１は、算出された送信電力を初期送信電力としてユーザ装置４００に通知してもよい。当該初期送信電力を指定するＲＡＣＨ−ｌｅｓｓハンドオーバ指示を受信すると、ユーザ装置４００は、指定された初期送信電力によりターゲットセルにスケジューリングリクエストを送信する。また、上述したパワーランピング制御が適用されている場合、ユーザ装置４００は、当該初期送信電力と共に通知されたランピングステップを用いて、パワーランピング制御によりスケジューリングリクエストを再送してもよい。
【００６４】
なお、図５に示されるユーザ装置４００と図９に示される基地局３００について、基地局３００に早期に現在のパワーヘッドルームを報告するため、ユーザ装置４００のＰＨＲ機能がオンである場合、ユーザ装置４００は、ハンドオーバ指示の受信時にＰＨＲを報告するようにしてもよい。
【００６５】
図１０は、本発明の第２実施例による基地局における送信電力通知処理を示すフロー図である。
【００６６】
図１０に示されるように、ステップＳ３０１において、ターゲット基地局３０２は、ソース基地局３０１からユーザ装置４００のＰＨＲ及びＴＰＣコマンドの累積値を取得する。
【００６７】
ステップＳ３０２において、ターゲット基地局３０２は、取得したＰＨＲ及びＴＰＣコマンドの累積値に基づき、ＲＡＣＨ−ｌｅｓｓハンドオーバ時にユーザ装置４００によるスケジューリングリクエストの送信電力を決定する。
【００６８】
ステップＳ３０３において、ソース基地局３０１は、ターゲット基地局３０２により通知された送信電力を指定したＲＡＣＨ−ｌｅｓｓハンドオーバ指示をユーザ装置４００に通知する。例えば、指定された送信電力は、パワーランピング制御の下の初期送信電力として利用されてもよい。
【００６９】
上述した第１実施例と第２実施例とは組み合わせて利用可能である。すなわち、第１実施例に従って、ターゲットセルへのＲＡＣＨ−ｌｅｓｓハンドオーバが指示された場合、ユーザ装置２００，４００は、ＴＡタイマの動作状態に関わらずターゲットセルにスケジューリングリクエストを送信し、当該スケジューリングリクエストに対するアップリンクグラントを受信できなかったとき、パワーランピング制御の下でスケジューリングリクエストの再送を継続してもよい。
【００７０】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００７１】
１０  無線通信システム
１００，１０１，１０２，３００，３０１，３０２  基地局
２００，４００  ユーザ装置
【図１】
0006442200.tif 000002
【図２】
0006442200.tif 000003
【図３】
0006442200.tif 000004
【図４】
0006442200.tif 000005
【図５】
0006442200.tif 000006
【図６】
0006442200.tif 000007
【図７】
0006442200.tif 000008
【図８】
0006442200.tif 000009
【図９】
0006442200.tif 000010
【図１０】
0006442200.tif 000011